(57)【要約】【課題】ユーザにとって興味ある情報の中から、重要と推定した情報と、推定しなかった情報を効率的に切り替えて、ユーザが真に重要な情報に対して素早くアクセスし表示する。【解決手段】取得された複数の情報を、情報の属性に基づいて表示する情報処理装置であって、属性毎に、属性を有する情報のうち所定の条件を満たすもののみを表示する属性間一覧表示手段と、指定された属性について、属性を有する情報のすべてを表示する属性内一覧表示手段と、を含む。【選択図】図４
2014174807.tif 000002
【特許請求の範囲】
【請求項１】
取得された複数の情報を、前記情報の属性に基づいて表示する情報処理装置であって、
前記属性毎に、前記属性を有する情報のうち所定の条件を満たすもののみを表示する属性間一覧表示手段と、
指定された属性について、前記属性を有する情報のすべてを表示する属性内一覧表示手段と、
を含むことを特徴とする情報処理装置。
【請求項２】
前記属性は、前記複数の情報がそれぞれ取得された時間であり、前記複数の情報は、前記複数の情報が取得された複数の時間帯毎にグループ化して表示されることを特徴とする請求項１に記載の情報処理装置。
【請求項３】
前記属性は、前記複数の情報がそれぞれ属するカテゴリであり、前記複数の情報は、前記複数の情報の各々が属する複数のカテゴリ毎にグループ化して表示されることを特徴とする請求項１に記載の情報処理装置。
【請求項４】
前記所定の条件は、前記複数の情報に対するアクセス履歴から推定されるユーザの興味度であることを特徴とする請求項１に記載の情報処理装置。
【請求項５】
取得された複数の情報を表示する情報処理装置であって、
前記複数の情報の各々を、取得された複数の時間帯毎にグループ化して表示する時間順一覧表示手段、又は
前記複数の情報の各々が属する複数のカテゴリ毎にグループ化して表示するカテゴリ順一覧表示手段、
を含むことを特徴とする情報処理装置。
【請求項６】
前記時間順一覧表示手段によってグループ化して表示される情報は、前記複数の時間帯のそれぞれに含まれる複数の情報の中から選択された特定少数の情報であることを特徴とする請求項５に記載の情報処理装置。
【請求項７】
前記複数の時間帯の中から何れかの時間帯が選択されると、前記選択された時間帯に含まれる複数の情報を一覧表示する時間帯内一覧表示手段を含むことを特徴とする請求項５又は６に記載の情報処理装置。
【請求項８】
前記特定少数の情報は、前記時間帯内一覧表示手段によって一覧表示された複数の情報の中から選択されることを特徴とする請求項７に記載の情報処理装置。
【請求項９】
前記時間順一覧表示手段によって表示される前記特定少数の情報を構成する各々の情報の順番と、前記時間帯内一覧表示手段によって表示される前記特定少数の情報に対応する各々の情報の順番とは同一であることを特徴とする請求項７又は８に記載の情報処理装置。
【請求項１０】
前記カテゴリ順一覧表示手段によってグループ化して表示される情報は、前記複数のカテゴリのそれぞれに含まれる複数の情報の中から選択された特定少数の情報であることを特徴とする請求項５に記載の情報処理装置。
【請求項１１】
前記複数のカテゴリの中から何れかのカテゴリが選択されると、前記選択されたカテゴリに含まれる複数の情報を一覧表示するカテゴリ内一覧表示手段を含むことを特徴とする請求項５又は１０に記載の情報処理装置。
【請求項１２】
前記特定少数の情報は、前記カテゴリ内一覧表示手段によって一覧表示された複数の情報の中から選択されることを特徴とする請求項１１に記載の情報処理装置。
【請求項１３】
前記カテゴリ順一覧表示手段によって表示される前記特定少数の情報を構成する各々の情報の順番と、前記カテゴリ内一覧表示手段によって表示される前記特定少数の情報に対応する各々の情報の順番とは同一であることを特徴とする請求項１１又は１２に記載の情報処理装置。
【請求項１４】
前記時間順一覧表示手段、前記時間帯内一覧表示手段、前記カテゴリ順一覧表示手段、又は前記カテゴリ内一覧表示手段によって表示された前記複数の情報の中から特定の情報が選択されると、前記選択された特定の情報に関する詳細情報を表示する詳細表示手段をさらに含むことを特徴とする請求項７から９、又は１１から１３の何れか１項に記載の情報処理装置。
【請求項１５】
前記複数の情報は、ニュースに関する情報、ＳＮＳ（Social Network Service）に関する情報、テレビ番組に関する情報の何れか１つを少なくとも含むことを特徴とする請求項１から１４の何れか１項に記載の情報処理装置。
【請求項１６】
取得された複数の情報を、前記情報の属性に基づいて表示する情報処理装置の制御方法であって、
属性間一覧表示手段が、前記属性毎に、前記属性を有する情報のうち所定の条件を満たすもののみを表示する工程と、
属性内一覧表示手段が、指定された属性について、前記属性を有する情報のすべてを表示する工程と、
を含むことを特徴とする制御方法。
【請求項１７】
取得された複数の情報を、前記情報の属性に基づいて表示する情報処理装置に実行させるコンピュータにより読み取り可能なプログラムであって、
属性間一覧表示手段が、前記属性毎に、前記属性を有する情報のうち所定の条件を満たすもののみを表示する処理と、
属性内一覧表示手段が、指定された属性について、前記属性を有する情報のすべてを表示する処理と、
を含むことを特徴とするプログラム。
【発明の詳細な説明】
【技術分野】
【０００１】
本発明は、情報処理装置、その制御方法、及びプログラムに関する。
【背景技術】
【０００２】
ＢＳ（Broadcasting Satellite）、ＣＳ（Communications Satellite）デジタル放送サービスやインターネットにおけるプッシュ型データ配信サービスにおいては、一般的に、個々のユーザの興味関心とは無関係に、情報発信者の意向に基づいて、一方的に、全てのユーザに対して同一のコンテンツが送信される。
【０００３】
したがって、ユーザは、自分に必要なコンテンツのみを選別し、閲覧することが困難であるという問題がある。また、受信されたコンテンツデータを一旦、蓄積した後、閲覧する仕組みを設けたとしても、大量のコンテンツデータが蓄積されている場合には、どのコンテンツが必要なものであるのかを即時に判断することが困難である。
【０００４】
また、大量にコンテンツデータが受信される場合、蓄積量の制限から、全てのコンテンツデータを蓄積することは不可能であるので、何らかの手段によって、ユーザにとって必要なコンテンツを的確に峻別し、この峻別されたコンテンツのみを蓄積し、閲覧したいという要望がある。
【０００５】
放送コンテンツやインターネット上のコンテンツに対して、コンテンツの内容を説明するメタ情報が付加された各種コンテンツを受信し、視聴するための受信装置や、インターネット情報を閲覧するための情報処理装置において、ユーザが興味関心を抱くジャンルを示すキーワードを予め登録しておき、当該登録されたキーワードに基づいて、ユーザの興味関心を推定する装置が提案されている。そして、この装置によれば、受信されたコンテンツの中から、ユーザが興味関心を抱いているコンテンツデータが自動的に選択され、ユーザにとって必要なコンテンツが峻別され、蓄積されることとなる。
【０００６】
特に、放送用受信装置等においては、ＥＰＧ（Electric Program Guide）情報等のコンテンツのメタ情報と、ユーザのコンテンツ視聴履歴等に基づいて、ユーザの興味関心を示すキーワードを推定し、これらのキーワードを利用して必要なコンテンツを峻別するシステムが提案されている。
【０００７】
このようなシステムは、一般的にＥＰＧ等のコンテンツメタ情報から、コンテンツ毎に、コンテンツに関連するキーワードの集合であるコンテンツプロファイルを作成し、視聴されたコンテンツのコンテンツプロファイルに含まれるキーワードの重みを増し、このような重み情報が付加されたキーワードの集合を、ユーザの興味関心データとして保持すると共に、ユーザの視聴履歴に伴って、これを逐次更新している。
【０００８】
そして、新たなコンテンツが受信された時点で、受信されたコンテンツのコンテンツプロファイルとユーザの興味関心データとの相関度を算出し、相関度が規定値以上であれば、このコンテンツは、ユーザにとって必要なコンテンツであると判断し、これを蓄積する。このような方法を用いることにより、受信される各種コンテンツの中から、ユーザが興味関心を有すると推定されるコンテンツのみを選択し、蓄積し、ユーザに提供することが、一応実現可能である。
【先行技術文献】
【特許文献】
【０００９】
【特許文献１】特開２００２−００７４６０号公報
【発明の概要】
【発明が解決しようとする課題】
【００１０】
しかしながら、キーワードを予め入力する従来の方法では、ユーザは、興味関心の対象が変化する度毎に、キーワードを登録し直す必要がある。また、登録されたキーワードに基づいて峻別されたコンテンツの量が非常に膨大である場合には、コンテンツの量をさらに絞り込むため、キーワードをさらに追加して登録する必要がある。
【００１１】
また、膨大な量のコンテンツの中から、興味関心の対象となる特定少数のコンテンツを抽出するためには、１つのジャンルについて、複数のキーワードを登録する必要があったり、適切なキーワードを選出して登録する必要があったりするといった、ユーザに対する負担が大きいという問題がある。
【００１２】
さらに、キーワードの登録によって興味関心の対象を絞る従来の方法は、ユーザが興味関心の対象を登録するためのキーワードを明確に認識している場合には効果的であるが、興味関心が漠然としている場合や、興味関心を抱く対象を指定するための適当なキーワードをユーザが認識していない場合等には、利用し難いという問題がある。
【００１３】
他方、コンテンツメタ情報から得られるコンテンツプロファイルと、ユーザのコンテンツ視聴履歴とから、コンテンツプロファイル中に出現する各キーワードのユーザにとっての重要度を自動的に推定する従来の方法では、ユーザが適切に興味のある情報を視聴している履歴が必要になる。しかし、ユーザが興味関心を有すると推定したコンテンツだけを表示してしまうと、推定に失敗した興味ある他のコンテンツが表示されないため、適切な履歴とならない。すなわち、推定の失敗も考慮したコンテンツ表示が重要である。
【００１４】
また、ユーザの興味関心の対象は、一般的に逐次変化するものであるが、上記従来の方法では、利用開始から現在時点までのアクセス履歴、又は直近の一定期間におけるアクセス履歴に基づいてキーワードの重要度が自動的に累積されるので、特定のキーワードに対する興味関心が喪失された場合、これが反映されるまでに多大の時間を要するという問題もある。この場合も、推定の失敗も考慮したコンテンツ表示が重要である。
【００１５】
そうすると、その間、ユーザが既に興味を喪失したキーワードに関連するコンテンツが蓄積され続けることとなるので、ユーザのアクセス履歴に基づいて興味関心の対象を推定する方法では、興味対象外のコンテンツが無駄に選択され、蓄積されるという可能性もある。同様に、ユーザが不必要なコンテンツを峻別し削除しようとする場合にも、どのコンテンツが不必要かものであるかを容易に知ることができないので、不必要なコンテンツを効率良く削除できず、結果として、蓄積デバイス内に不要なコンテンツが長期的に残留することになる。
【００１６】
特許文献１には、各種デジタルコンテンツの放送型サービスを受信し、受信されるコンテンツの中から、ユーザの興味のあるコンテンツを選択し、蓄積する装置において、ユーザが、逐次、興味対象を示すキーワードを入力する等の手続を行わなくても、興味対象となるコンテンツを自動的に選択することが可能なコンテンツ選択装置が開示されている。
【００１７】
そして、特許文献１に開示された技術では、ユーザが参照した各コンテンツの複数のキーワードを含むテキストによって構成されているメタ情報に含まれているキーワード群を利用し、１つのキーワードが１つの節点に対応している根付き構造である興味体系木を構成し、この興味体系木の構造と一致したディレクトリ構造を構成し、興味体系木の節点に対応したキーワードを各ディレクトリの名前とし、興味指数が一定値以上のコンテンツのみを蓄積している。
【００１８】
しかしながら、推定の失敗も考慮したコンテンツ表示にはなっておらず、ユーザにとって真に興味関心が高い情報、又は重要度が高い情報に対して素早くユーザがアクセスすることができないという問題がある。
【００１９】
そこで本発明は、上記従来の問題点に鑑みてなされたもので、ユーザにとって興味ある情報の中から、重要と推定した情報と、推定しなかった情報を効率的に切り替えて、ユーザが真に重要な情報に対して素早くアクセスし表示することが可能な情報処理装置、その制御方法、及びプログラムを提供することを目的とする。
【課題を解決するための手段】
【００２０】
上記課題を解決するため、請求項１に記載の本発明における情報処理装置は、取得された複数の情報を、前記情報の属性に基づいて表示する情報処理装置であって、前記属性毎に、前記属性を有する情報のうち所定の条件を満たすもののみを表示する属性間一覧表示手段と、指定された属性について、前記属性を有する情報のすべてを表示する属性内一覧表示手段と、を含むことを特徴とする。
【００２１】
また、本発明における情報処理装置は、請求項１に記載の情報処理装置において、前記属性は、前記複数の情報がそれぞれ取得された時間であり、前記複数の情報は、前記複数の情報が取得された複数の時間帯毎にグループ化して表示されることを特徴とする。
【００２２】
さらに、本発明における情報処理装置は、請求項１に記載の情報処理装置において、前記属性は、前記複数の情報がそれぞれ属するカテゴリであり、前記複数の情報は、前記複数の情報の各々が属する複数のカテゴリ毎にグループ化して表示されることを特徴とする。
【００２３】
また、本発明における情報処理装置は、請求項１に記載の情報処理装置において、前記所定の条件は、前記複数の情報に対するアクセス履歴から推定されるユーザの興味度であることを特徴とする。
【００２４】
そして、上記課題を解決するため、請求項５に記載の本発明における情報処理装置は、取得された複数の情報を表示する情報処理装置であって、前記複数の情報の各々を、取得された複数の時間帯毎にグループ化して表示する時間順一覧表示手段、又は前記複数の情報の各々が属する複数のカテゴリ毎にグループ化して表示するカテゴリ順一覧表示手段、を含むことを特徴とする。
【００２５】
また、本発明における情報処理装置は、請求項５に記載の情報処理装置において、前記時間順一覧表示手段によってグループ化して表示される情報は、前記複数の時間帯のそれぞれに含まれる複数の情報の中から選択された特定少数の情報であることを特徴とする。
【００２６】
さらに、本発明における情報処理装置は、請求項５又は６に記載の情報処理装置において、前記複数の時間帯の中から何れかの時間帯が選択されると、前記選択された時間帯に含まれる複数の情報を一覧表示する時間帯内一覧表示手段を含むことを特徴とする。
【００２７】
また、本発明における情報処理装置は、請求項７に記載の情報処理装置において、前記特定少数の情報は、前記時間帯内一覧表示手段によって一覧表示された複数の情報の中から選択されることを特徴とする。
【００２８】
そして、本発明における情報処理装置は、請求項７又は８に記載の情報処理装置において、前記時間順一覧表示手段によって表示される前記特定少数の情報を構成する各々の情報の順番と、前記時間帯内一覧表示手段によって表示される前記特定少数の情報に対応する各々の情報の順番とは同一であることを特徴とする。
【００２９】
また、本発明における情報処理装置は、請求項５に記載の情報処理装置において、前記カテゴリ順一覧表示手段によってグループ化して表示される情報は、前記複数のカテゴリのそれぞれに含まれる複数の情報の中から選択された特定少数の情報であることを特徴とする。
【００３０】
さらに、本発明における情報処理装置は、請求項５又は１０に記載の情報処理装置において、前記複数のカテゴリの中から何れかのカテゴリが選択されると、前記選択されたカテゴリに含まれる複数の情報を一覧表示するカテゴリ内一覧表示手段を含むことを特徴とする。
【００３１】
また、本発明における情報処理装置は、請求項１１に記載の情報処理装置において、前記特定少数の情報は、前記カテゴリ内一覧表示手段によって一覧表示された複数の情報の中から選択されることを特徴とする。
【００３２】
そして、本発明における情報処理装置は、請求項１１又は１２に記載の情報処理装置において、前記カテゴリ順一覧表示手段によって表示される前記特定少数の情報を構成する各々の情報の順番と、前記カテゴリ内一覧表示手段によって表示される前記特定少数の情報に対応する各々の情報の順番とは同一であることを特徴とする。
【００３３】
また、本発明における情報処理装置は、請求項７から９、又は１１から１３の何れか１項に記載の情報処理装置において、前記時間順一覧表示手段、前記時間帯内一覧表示手段、前記カテゴリ順一覧表示手段、又は前記カテゴリ内一覧表示手段によって表示された前記複数の情報の中から特定の情報が選択されると、前記選択された特定の情報に関する詳細情報を表示する詳細表示手段をさらに含むことを特徴とする。
【００３４】
さらに、本発明における情報処理装置は、請求項１から１４の何れか１項に記載の情報処理装置において、前記複数の情報は、ニュースに関する情報、ＳＮＳ（Social Network Service）に関する情報、テレビ番組に関する情報の何れか１つを少なくとも含むことを特徴とする。
【００３５】
また、上記課題を解決するため、請求項１６に記載の本発明における情報処理装置の制御方法は、取得された複数の情報を、前記情報の属性に基づいて表示する情報処理装置の制御方法であって、属性間一覧表示手段が、前記属性毎に、前記属性を有する情報のうち所定の条件を満たすもののみを表示する工程と、属性内一覧表示手段が、指定された属性について、前記属性を有する情報のすべてを表示する工程と、を含むことを特徴とする。
【００３６】
そして、上記課題を解決するため、請求項１７に記載の本発明におけるプログラムは、取得された複数の情報を、前記情報の属性に基づいて表示する情報処理装置に実行させるコンピュータにより読み取り可能なプログラムであって、属性間一覧表示手段が、前記属性毎に、前記属性を有する情報のうち所定の条件を満たすもののみを表示する処理と、属性内一覧表示手段が、指定された属性について、前記属性を有する情報のすべてを表示する処理と、、を含むことを特徴とする。
【発明の効果】
【００３７】
本発明によれば、ユーザにとって興味ある情報の中から、特に重要な情報に対して素早くアクセスし表示することが可能な情報処理装置、その制御方法、及びプログラムが得られる。
【図面の簡単な説明】
【００３８】
【図１】本発明の実施形態における情報処理装置の全体構成を示す概略ブロック図である。
【図２】本発明の実施形態における情報処理装置の動作のうち初期画面を説明する図である。
【図３】本発明の実施形態における情報処理装置の動作のうちＴｏｐ画面（時間順一覧表示）について説明する図である。
【図４】本発明の実施形態における情報処理装置の動作のうちＳｐｏｋｅ画面（時間帯内一覧表示）について説明する図である。
【図５】本発明の実施形態における情報処理装置の動作のうちＴｏｐ画面（カテゴリ表示順一覧表示）について説明する図である。
【図６】本発明の実施形態における情報処理装置の動作のうちＳｐｏｋｅ画面（カテゴリ内一覧表示）について説明する図である。
【図７】本発明の実施形態における情報処理装置の動作のうちＤｅｔａｉｌ画面（詳細表示）について説明する図である。
【図８】本発明の実施形態における情報処理装置の動作について説明する機能ブロック図（その１）である。
【図９】本発明の実施形態における情報処理装置の動作について説明する機能ブロック図（その２）である。
【発明を実施するための形態】
【００３９】
次に、本発明を実施するための形態について図面を参照して詳細に説明する。なお、各図中、同一又は相当する部分には同一の符号を付しており、その重複説明は適宜に簡略化乃至省略する。本発明の内容を簡潔に説明すると、取得された複数の情報を、情報の属性に基づいて表示する情報処理装置であって、属性毎に、属性を有する情報のうち所定の条件を満たすもののみを表示する属性間一覧表示手段と、指定された属性について、属性を有する情報のすべてを表示する属性内一覧表示手段と、を含むことにより、ユーザにとって興味ある情報の中から、特に重要な情報に対して素早くアクセスし表示することができるのである。
【００４０】
まず、本発明の実施形態における情報処理装置（以下、パーソナルコンピュータ（ＰＣ）ともいう。）の全体構成について説明する。図１は、本発明の実施形態における情報処理装置の全体構成を示す概略ブロック図である。ＰＣ１００は、ＴＶチューナ部１０１と、ネットワーク接続部１０５と、ＣＰＵ（Central Processing Unit）１０６と、ＲＯＭ（Read Only Memory）１０２と、ＲＡＭ（Random Access Memory）１０３と、ＨＤＤ（Hard Disk Drive）１０４と、表示部１０７と、入力部１０８と、電源部１０９とから構成される。
【００４１】
ＴＶチューナ部１０１は、地上デジタル、ＢＳ、及びＣＳ放送をアンテナから受信し復調するものである。ネットワーク接続部１０５は、インターネットに代表されるネットワークに接続され、ネットワークとのインタフェースを図るものである。ＣＰＵ１０６は、ＰＣ１００全体の動作を制御するものであり、ＲＯＭ１０２に格納された制御プログラムをロードし、ＰＣ１００の動作によって得られた様々なデータをＲＡＭ１０３に展開するものである。ＨＤＤ１０４は、ＰＣ１００のアプリケーションソフトウェアを格納したり、ＴＶチューナ部１０１によって受信されたテレビ番組（以下、コンテンツともいう。）を録画したりするものである。
【００４２】
表示部１０７は、ＬＣＤ（Liquid Crystal Display）等で構成される表示画面であり、ＰＣ１００によって実行されたアプリケーションの結果やＴＶチューナ部１０１によって受信されたテレビ番組を表示するものである。入力部１０８は、キーボード、マウス、タッチパネル等、ユーザがＰＣ１００に対して指示を与えるものである。そして、電源部１０９は、ＰＣ１００に対してＡＣ（Alternative Current：交流）又はＤＣ（Direct Current：直流）電源を与えるものである。
【００４３】
次に、図２を用いて本発明の実施形態における情報処理装置の動作について説明する。図２は、本発明の実施形態における情報処理装置の動作のうち初期画面を説明する図である。図２を参照すると、本発明の実施形態におけるＰＣ１００は、起動すると表示部１０７に、インストールされている複数のアプリケーションソフトウェア２０１のメニュー画面が表示される。この複数あるアプリケーションソフトウェア２０１として、本発明の実施形態に係るアプリケーションソフトウェアである「Ｍｙ  Ｉｎｔｅｒｅｓｔ」２０２がインストールされている。
【００４４】
ユーザが、この「Ｍｙ  Ｉｎｔｅｒｅｓｔ」２０２というアプリケーションソフトウェアのメニュー画面をマウス等の入力部１０８を用いて選択すると、表示部１０７には、「Ｍｙ  Ｉｎｔｅｒｅｓｔ」２０２というアプリケーションソフトウェアの初期画面が表示される。そして、ユーザにより、表示部１０７に表示された「Ｍｙ  Ｉｎｔｅｒｅｓｔ」２０２のアイコンが、マウス等の入力部１０８を用いて選択されると、以下に説明する「Ｍｙ  Ｉｎｔｅｒｅｓｔ」２０２のアプリケーションソフトウェアが起動する。
【００４５】
次に、図３、及び図４を用いて本発明の実施形態における情報処理装置の動作について説明する。図３は、本発明の実施形態における情報処理装置の動作のうちＴｏｐ画面（時間順一覧表示）について説明する図であり、図４は、本発明の実施形態における情報処理装置の動作のうちＳｐｏｋｅ画面（時間帯内一覧表示）について説明する図である。
【００４６】
図３を参照すると、表示部１０７には、ユーザにより「Ｍｙ  Ｉｎｔｅｒｅｓｔ」２０２のアプリケーションソフトウェアの起動が開始された５分前（３０１）に配信され取得されたコンテンツ情報であるＡ、Ｂ、Ｃ、Ｄ、Ｅ、Ｆ、Ｇ、Ｈ、Ｉ及びＪの１０個のコンテンツ情報のうち、厳選された重要なコンテンツ情報であるＡ、Ｂ、Ｆ、及びＧの４つのコンテンツ情報のそれぞれの内容の一場面がサムネイル表示される。また、「Ｍｙ  Ｉｎｔｅｒｅｓｔ」２０２のアプリケーションソフトウェアの起動が開始されてから３０分前（３０２）に配信され取得されたコンテンツ情報であるＫ、Ｌ、Ｍ、Ｎ、Ｏ、Ｐ、Ｑ、及びＲの８個のコンテンツ情報のうち、厳選された重要なコンテンツ情報であるＫ、Ｌ、Ｏ、及びＰの４個のコンテンツ情報それぞれの内容の一場面がサムネイル表示される。さらに、「Ｍｙ  Ｉｎｔｅｒｅｓｔ」２０２のアプリケーションソフトウェアの起動が開始されてから１時間前（３０３）に配信され取得されたコンテンツ情報であるＳ、Ｔ、Ｕ、Ｖ、Ｗ、Ｘ、Ｙ、及びＺの８個のコンテンツ情報のうち、厳選された重要なコンテンツ情報であるＳ、及びＷの２個のコンテンツ情報それぞれの内容の一場面がサムネイル表示される。
【００４７】
このように、図３に示した時間順一覧表示のＴｏｐ画面は、各時間帯に配信され取得されたコンテンツ情報の中から重要なコンテンツ情報が厳選され、表示部１０７の幅方向の表示、すなわち、表示部１０７の一覧表示性を重視した表示体系を採ることが特徴となっている。そして、重要なコンテンツ情報の厳選は、後述する図８の興味推定部８０８によって、ユーザの行動、振る舞い、アクセス履歴等が監視され、ユーザが如何なる分野のコンテンツ情報に対して興味関心を抱いているかが分析され、この分析結果に基づいて推定されたユーザの興味度に基づいて行われる。
【００４８】
次に、図４を参照すると、表示部１０７には、ユーザにより「Ｍｙ  Ｉｎｔｅｒｅｓｔ」２０２のアプリケーションソフトウェアの起動が開始された５分前（３０１）に配信され取得されたコンテンツ情報であるＡ、Ｂ、Ｃ、Ｄ、Ｅ、Ｆ、Ｇ、Ｈ、Ｉ及びＪの１０個のコンテンツ情報のすべてにおけるそれぞれの内容の一場面がサムネイル表示される。すなわち、表示部１０７において、「Ｍｙ  Ｉｎｔｅｒｅｓｔ」２０２のアプリケーションソフトウェアの起動が開始された５分前（３０１）に配信され取得されたコンテンツ情報の全体、すべてを閲覧するための表示がなされ、図４の例では、表示部１０７が、「Ｍｙ  Ｉｎｔｅｒｅｓｔ」２０２のアプリケーションソフトウェアの起動が開始された５分前（３０１）に配信され取得されたコンテンツ情報で埋め尽くされるのである。換言すれば、図３に示した５分前（３０１）、３０分前（３０２）、又は１時間前（３０３）の中から、ある特定の時間帯に含まれるコンテンツ情報のすべてを深く表示することが特徴となっている。図３から図４への表示部１０７の表示形態の遷移は、例えば、図３における５分前３０１を指定することにより行われる。
【００４９】
そして、図３から図４、又は図４から図３へ表示部１０７の表示形態が遷移する上で重要なことは、Ｔｏｐ画面とＳｐｏｋｅ画面との間では、表示部１０７に表示される各コンテンツ情報のサムネイル表示の順番が同じあるという点である。すなわち、図３に示したＴｏｐ画面のうち、５分前（３０１）に配信され取得されたコンテンツ情報であるＡ、Ｂ、Ｆ、及びＧの各コンテンツ情報のサムネイル表示は、図４に示したＳｐｏｋｅ画面における５分前（４０１）に配信され取得されたコンテンツ情報であるＡ、Ｂ、Ｆ、及びＧの各コンテンツ情報のサムネイル表示と順番が同じ、対応関係が同じであるということである。
【００５０】
これは、図４の画面を左方向にスクロールさせて、３０分前に配信され取得されたコンテンツ情報であるＫ、Ｌ、Ｍ、Ｎ、Ｏ、Ｐ、Ｑ、及びＲの各コンテンツ情報を表示させた場合、及び１時間前に配信され取得されたコンテンツ情報であるＳ、Ｔ、Ｕ、Ｖ、Ｗ、Ｘ、Ｙ、及びＺの各コンテンツ情報を表示させた場合でも、図４におけるＳｐｏｋｅ画面、及び図３におけるＴｏｐ画面との間で、表示部１０７に表示される各コンテンツ情報のサムネイル表示の順番は同じになるのである。
【００５１】
また、図３のＴｏｐ画面において、時間の経過と共に、例えば、３０分前（３０２）に配信され取得されたコンテンツ情報の中には、１時間前（３０３）に移動するものもあれば、３０分前（３０２）にそのまま留まったりするコンテンツ情報も存在する。このようにコンテンツ情報が次の時間帯等に移動した場合も順序関係が保存される。また、５分前（３０１）、３０分前（３０２）、及び１時間前（３０３）に配信されたコンテンツ情報の中には、当該コンテンツ情報を既に閲覧し終えた結果、サムネイル表示そのものが消滅するものも存在する。
【００５２】
このように、コンテンツ情報が移動したり消滅したりしたサムネイル表示の空いた領域には、次のコンテンツ情報に係るサムネイル表示が繰り上がって表示されるのであるが、このときも、図３のＴｏｐ画面と図４のＳｐｏｋｅ画面とは対応関係が常に採られることになる。すなわち、図３のＴｏｐ画面で移動したコンテンツ情報に係るサムネイル表示は、図４のＳｐｏｋｅ画面においても同じ場所に移動し、図３のＴｏｐ画面から消滅したコンテンツ情報に係るサムネイル表示は、図４のＳｐｏｋｅ画面からも消滅することとなり、Ｔｏｐ画面とＳｐｏｋｅ画面との間では、常に画面の対応関係が採られることになるのである。
【００５３】
また、図３で説明したＴｏｐ画面として、各時間帯に配信され取得されたコンテンツ情報の中から、特定少数の各時間帯における重要なコンテンツ情報、特定少数の各時間帯を代表するコンテンツ情報（図３の場合は４つであるが、この数は任意の数とすることができる。）を厳選して表示することにより、俯瞰的に各時間帯のコンテンツ情報を把握することができる。さらに、そこに選択されていない、他の真にユーザの興味関心が高いコンテンツ情報を表示するために、図４で説明したＳｐｏｋｅ画面に遷移し、その時間帯に含まれるコンテンツ情報のすべてを見ることができる。さらに、図３のＴｏｐ画面から図４のＳｐｏｋｅ画面に遷移する際、又は図４のＳｐｏｋｅ画面から図３のＴｏｐ画面に遷移する際の、コンテンツ情報に係るサムネイル表示の順番が同一であるので、ユーザにとって、画面間の遷移における混乱を防止することができるのである。そのため、ユーザは安心してＴｏｐ画面とＳｐｏｋｅ画面を切り替えることができ、Ｔｏｐ画面に表示されてにない、他の真にユーザの興味関心が高いコンテンツ情報が表示される機会を確保することができる。
【００５４】
図５を参照すると、表示部１０７には、ユーザにより「Ｍｙ  Ｉｎｔｅｒｅｓｔ」２０２のアプリケーションソフトウェアの起動が開始されてから取得されたコンテンツ情報のうち、野球（５０１）に関するコンテンツ情報であるａ、ｂ、ｃ、ｄ、ｅ、ｆ、ｇ、ｈ、ｉ及びｊの１０個のコンテンツ情報のうち、厳選された重要なコンテンツ情報であるａ、ｂ、ｆ、及びｇの４つのコンテンツ情報のそれぞれの内容の一場面がサムネイル表示される。また、「Ｍｙ  Ｉｎｔｅｒｅｓｔ」２０２のアプリケーションソフトウェアの起動が開始されてから取得されたコンテンツ情報のうち、コンピュータ（５０２）に関するコンテンツ情報であるｋ、ｌ、ｍ、ｎ、ｏ、ｐ、ｑ、及びｒの８個のコンテンツ情報のうち、厳選された重要なコンテンツ情報であるｋ、ｌ、ｏ、及びｐの４個のコンテンツ情報それぞれの内容の一場面がサムネイル表示される。さらに、「Ｍｙ  Ｉｎｔｅｒｅｓｔ」２０２のアプリケーションソフトウェアの起動が開始されてから取得されたコンテンツ情報のうち、車（５０３）に関するコンテンツ情報であるであるs、ｔ、ｕ、ｖ、ｗ、ｘ、ｙ、及びｚの８個のコンテンツ情報のうち、厳選された重要なコンテンツ情報であるｓ、及びｗの２個のコンテンツ情報それぞれの内容の一場面がサムネイル表示される。
【００５５】
このように、図５に示した時間順一覧表示のＴｏｐ画面は、各カテゴリ毎に取得されたコンテンツ情報の中から重要なコンテンツ情報が厳選され、表示部１０７の幅方向の表示、すなわち、表示部１０７の一覧表示性を重視した表示体系を採ることが特徴となっている。そして、重要なコンテンツ情報の厳選は、後述する図８の興味推定部８０８によって、ユーザの行動、振る舞い、アクセス履歴等が監視され、ユーザが如何なる分野のコンテンツ情報に対して興味関心を抱いているかが分析され、この分析結果に基づいて推定されたユーザの興味度に基づいて行われる。
【００５６】
次に、図６を参照すると、表示部１０７には、ユーザにより「Ｍｙ  Ｉｎｔｅｒｅｓｔ」２０２のアプリケーションソフトウェアの起動が開始されてから取得されたコンテンツ情報のうち、野球（５０１）に関するコンテンツ情報であるａ、ｂ、ｃ、ｄ、ｅ、ｆ、ｇ、ｈ、ｉ及びｊの１０個のコンテンツ情報のすべてにおけるそれぞれの内容の一場面がサムネイル表示される。すなわち、表示部１０７において、「Ｍｙ  Ｉｎｔｅｒｅｓｔ」２０２のアプリケーションソフトウェアの起動が開始されて取得されたコンテンツ情報の全体、すべてを閲覧するための表示がなされ、図６の例では、表示部１０７が、「Ｍｙ  Ｉｎｔｅｒｅｓｔ」２０２のアプリケーションソフトウェアの起動が開始されてから取得されたコンテンツ情報で埋め尽くされるのである。換言すれば、図５に示した野球（５０１）、コンピュータ（５０２）、及び車（５０３）の中から、ある特定のカテゴリに含まれるコンテンツ情報のすべてを深く表示することが特徴となっている。図５から図６への表示部１０７の表示形態の遷移は、例えば、図５における野球５０１を指定することにより行われる。
【００５７】
そして、図５から図６、又は図６から図５へ表示部１０７の表示形態が遷移する上で重要なことは、Ｔｏｐ画面とＳｐｏｋｅ画面との間では、表示部１０７に表示される各コンテンツ情報のサムネイル表示の順番が同じあるという点である。すなわち、図５に示したＴｏｐ画面のうち、野球（５０１）のカテゴリに属するコンテンツ情報であるａ、ｂ、ｆ、及びｇの各コンテンツ情報のサムネイル表示は、図６に示したＳｐｏｋｅ画面における野球（６０１）のカテゴリに属するコンテンツ情報であるａ、ｂ、ｆ、及びｇの各コンテンツ情報のサムネイル表示と順番が同じ、対応関係が同じであるということである。
【００５８】
これは、図６の画面を左方向にスクロールさせて、コンピュータのカテゴリに属するコンテンツ情報であるｋ、ｌ、ｍ、ｎ、ｏ、ｐ、ｑ、及びｒの各コンテンツ情報を表示させた場合、及び車のカテゴリに属するコンテンツ情報であるs、ｔ、ｕ、ｖ、ｗ、ｘ、ｙ、及びｚの各コンテンツ情報を表示させた場合でも、図５におけるＴｏｐ画面、及び図４におけるＳｐｏｋｅ画面との間で、表示部１０７に表示される各コンテンツ情報のサムネイル表示の順番は同じになるのである。
【００５９】
また、図５のＴｏｐ画面において、時間の経過と共に、野球（５０１）、コンピュータ（５０２）、及び車（５０３）に配信されたコンテンツ情報の中には、当該コンテンツ情報を既に閲覧し終えた結果、サムネイル表示そのものが消滅するものも存在する。
【００６０】
このように、コンテンツ情報が消滅したサムネイル表示の空いた領域には、同じカテゴリに属する次のコンテンツ情報に係るサムネイル表示が繰り上がって表示されるのであるが、このときも、図５のＴｏｐ画面と図６のＳｐｏｋｅ画面とは対応関係が常に採られることになる。すなわち、図５のＴｏｐ画面から消滅したコンテンツ情報に係るサムネイル表示は、図６のＳｐｏｋｅ画面からも消滅することとなり、Ｔｏｐ画面とＳｐｏｋｅ画面との間では、常に画面の対応関係が採られることになるのである。
【００６１】
また、図５で説明したＴｏｐ画面として、各カテゴリ毎に取得されたコンテンツ情報の中から、特定少数の各カテゴリ内における重要なコンテンツ情報、特定少数の各カテゴリを代表するコンテンツ情報（図５の場合は４つであるが、この数は任意の数とすることができる。）を厳選して表示することにより、俯瞰的に各カテゴリ毎のコンテンツ情報を把握することができる。そして、特にユーザの興味関心が高いカテゴリのコンテンツ情報を選択することによって、図６で説明したＳｐｏｋｅ画面に遷移し、当該興味関心が高いカテゴリ内に含まれるコンテンツ情報のすべてを見ることができる。さらに、図５のＴｏｐ画面から図６のＳｐｏｋｅ画面に遷移する際、又は図６のＳｐｏｋｅ画面から図５のＴｏｐ画面に遷移する際の、コンテンツ情報に係るサムネイル表示の順番が同一であるので、ユーザにとって、画面間の遷移における混乱を防止することができるのである。
【００６２】
ここで、図４に示したコンテンツ情報が時間帯内で一覧表示されている場合、及び図６に示したコンテンツ情報がカテゴリ内で一覧表示されている場合において、５分前（３０１）に配信され取得されたコンテンツ情報Ａ、Ｂ、Ｃ、Ｄ、Ｅ、Ｆ、Ｇ、Ｈ、Ｉ及びＪ、並びに野球（６０１）に関するコンテンツ情報ａ、ｂ、ｃ、ｄ、ｅ、ｆ、ｇ、ｈ、ｉ及びｊが、表示部１０７に一覧表示される順番について、図８及び図９を用いて説明する。
【００６３】
図８は、本発明の実施形態における情報処理装置の動作について説明する機能ブロック図（その１）であり、図９は、本発明の実施形態における情報処理装置の動作について説明する機能ブロック図（その２）である。
【００６４】
図８を参照すると、情報ソーステーブル部８０１は、ＲＳＳ（Resource description framework Site Summary）フィードのリストをローカルに保持している。そして、情報取得部８０２は、ネットワーク接続部１０５（図１）を介して指定されたＵＲＬ（Uniform Resource Locator）からＲＳＳフィードを取得する。取得されたＲＳＳフィードは、ＲＡＭ１０３等の取得情報記憶部８０３によって記憶される。
【００６５】
一方、ＲＡＭ１０３には、コンテンツ情報の各カテゴリに対する興味パラメータが興味テーブル８０５として格納される。この興味テーブル８０５は、ユーザの行動監視によりコンテンツ情報の中の各カテゴリの中からユーザの興味を推定する興味推定部８０８と、ユーザが興味設定を編集する興味テーブル表示・編集部８０４とによって作成される。そして、取得情報記憶部８０３と、興味テーブル８０５とに基づいて、取得されたＲＳＳフィードの中から興味テーブル８０５に合わせて情報選別部８０６においてフィード情報が選別される。
【００６６】
なお、ユーザの興味は、興味推定部８０８によって推定されたユーザの行動監視、例えば、ユーザがＰＣ１００を購入してから現時点に至るまで、又は直近の所定期間（１年、１ヵ月、１週間等）にアクセスしたインターネットの閲覧履歴（アクセス頻度、閲覧時間の長短等）に基づいて、ユーザの振る舞いを監視し、ユーザが如何なる分野のコンテンツ情報に対して興味関心を抱いているかを分析し、この分析結果に基づいて判断される。また、興味テーブル８０５において、ユーザが、興味テーブルにおいて興味がない旨設定したカテゴリに属するコンテンツについては、上述したＴｏｐ画面、及び後述するＳｐｏｋｅ画面に一切表示しないようにすることも可能である。なお、興味テーブルをどのように構築・表示するかについては、本発明の本質的な部分ではないので説明を省略する。
【００６７】
そして、情報選別部８０６によって選別されたＲＳＳフィード、及びＴＶチューナ部１０１（図１）又はネットワーク接続部１０５を介して取得されたＲＳＳフィードに掲載されていない情報の詳細、例えば、ＲＳＳが途中で切れている情報や画像ファイル等が、全情報取得部８０７によって取得された後、ＲＡＭ１０３等の全情報記憶部８０９に記憶される。その後、全情報記憶部８０９とクリップ情報記憶部８１０によって記憶されたコンテンツ情報が、情報表示部８１１によって表示部１０７に表示される。ここで、クリップ情報記憶部８１０とは、気になったコンテンツ情報を保存しておき、後で見ることができるようにしておくことでユーザの興味度を推定する指標として用いるものであるが、本発明の本質的な部分ではないので、詳細な説明は省略する。
【００６８】
そして、図９に示すように、全情報記憶部８０９に記憶されたコンテンツ情報と、クリップ情報記憶部８１０に記憶されたコンテンツ情報とが、図４に示した時間帯内一覧表示４００、又は図６に示したカテゴリ内一覧表示６００として、表示部１０７に表示されるのである。
【００６９】
このとき、情報表示部８１１は、興味推定部８０８による操作監視が行われる。操作監視が行われることにより興味度のレベルを上げる行為の具体例としては、コンテンツ情報の画面スクロール、コンテンツ一覧表示からのクリップ操作、後述する詳細表示からのクリップ操作、既読されたコンテンツ情報に対する再表示、コンテンツ情報を引用してＳＮＳに発信する等の行為が挙げられる。他方、興味度を下げる行為の具体例については、コンテンツ情報を一覧表示から消去する、コンテンツ情報を未読であるにもかかわらず既読にする、コンテンツ情報を無視する等の行為が挙げられる。
【００７０】
このように、情報表示部８１１に表示されるコンテンツ情報は、ユーザの興味推定部８０８の操作監視が反映されるものであるから、図４に示した時間順一覧表示４００の中の５分前（４０１）に配信され取得されたコンテンツ情報Ａ、Ｂ、Ｃ、Ｄ、Ｅ、Ｆ、Ｇ、Ｈ、Ｉ及びＪ、並びに図６に示したカテゴリ興味順表示６００の中の、野球４０１に関するコンテンツ情報であるａ、ｂ、ｃ、ｄ、ｅ、ｆ、ｇ、ｈ、ｉ及びｊは、それぞれ当該ユーザの興味度の高いコンテンツ情報から順番に表示されるのである。
【００７１】
そして、ユーザの興味どの高いコンテンツ情報から順番に表示されるのは、図４の画面を左方向にスクロールさせて、３０分前に配信され取得されたコンテンツ情報であるＫ、Ｌ、Ｍ、Ｎ、Ｏ、Ｐ、Ｑ、及びＲの各コンテンツ情報を表示させた場合、及び１時間前に配信され取得されたコンテンツ情報であるＳ、Ｔ、Ｕ、Ｖ、Ｗ、Ｘ、Ｙ、及びＺの各コンテンツ情報を表示させた場合でも同様である。さらに、図６の画面を左方向にスクロールさせて、コンピュータのカテゴリに属するコンテンツ情報であるｋ、ｌ、ｍ、ｎ、ｏ、ｐ、ｑ、及びｒの各コンテンツ情報を表示させた場合、及び車のカテゴリに属するコンテンツ情報であるs、ｔ、ｕ、ｖ、ｗ、ｘ、ｙ、及びｚの各コンテンツ情報を表示させた場合でも同様である。
【００７２】
そして、図３の時間順一覧表示、又は図５の時間帯内一覧表示でサムネイル表示されたコンテンツ情報の内容の一場面を示す画像、あるいは、図４のカテゴリ興味順一覧表示、又は図６のカテゴリ内一覧表示でサムネイル表示されたコンテンツの内容の一場面を示す画像の中から、閲覧を希望するコンテンツ情報の画像をマウス等の入力部を用いてクリックすると、当該コンテンツ情報の詳細表示が表示部１０７全体に表示される。この状態を図７を用いて説明する。
【００７３】
図７は、本発明の実施形態における情報処理装置の動作のうちＤｅｔａｉｌ画面（詳細表示）について説明する図である。図７は、図４、又は図６において、閲覧を希望するコンテンツ情報として、野球４０１（６０１）に関するコンテンツ情報の中からｇが選択されたときの表示部１０７に表示される詳細表示画面を示している。
【００７４】
図７に示すように、表示部１０７には、ｇに対応するコンテンツ情報のタイトル７００、コンテンツ情報ｇを構成するｇ−１からｇ−６までのサムネイル画像のうち、選択されたｇ−３の拡大画像７０１、及びその拡大画像７０３に対応する詳細情報７０３が表示される。なお、図７は、図４、又は図６において、閲覧を希望するコンテンツ情報が選択されたときの詳細表示画面について説明しているが、図３、又は図５に示されたコンテンツ情報の中から、閲覧を希望するコンテンツ情報が選択されたときも、同様に詳細表示画面が表示部１０７に表示されることは勿論である。
【００７５】
図７に表示されるＤｅｔａｉｌ画面（詳細表示）が表示される経緯について図９を用いて説明する。図９に示すように、時間順一覧表示部９０１（図３）、又はカテゴリ興味順一覧表示部９０２（図４）によってサムネイル表示されたコンテンツの一場面を示す画像の中から閲覧を希望するコンテンツ情報の画像が選択されることにより、詳細表示部９０５によって詳細画像（図７）が表示される。なお、時間帯内一覧表示部９０３（図５）、又はカテゴリ内一覧表示部９０４（図６）によってサムネイル表示されたコンテンツの一場面を示す画像の中から閲覧を希望するコンテンツ情報の画像が選択されることにより、詳細表示部９０５によって詳細画像（図７）が表示されるようにしても良い。
【００７６】
なお、一覧表示される情報としては、図９に示すように、ニュースコンテンツ情報９０８、ＳＮＳコンテンツ情報９０９、及びＴＶ番組コンテンツ情報９１０等が含まれ、詳細表示される情報としても、ニュースコンテンツ情報９１１、ＳＮＳコンテンツ情報９１２、及びＴＶ番組コンテンツ情報９１３等が含まれるが、ここに例示した情報に限定されることなく、ＰＣ１００によって取得される様々な情報が含まれることは勿論である。
【００７７】
なお、図８及び図９に示した本発明の実施形態における情報処理装置（ＰＣ）１００を構成する各機能ブロックの各動作は、コンピュータ上のプログラムに実行させることもできる。すなわち、情報処理装置１００のＣＰＵ１０６が、ＲＯＭ１０２、ＲＡＭ１０３等から構成される記憶部に格納されたプログラムをロードし、プログラムの各処理ステップが順次実行されることによって行われる。
【００７８】
以上説明してきたように、本発明によれば、取得された複数の情報を、情報の属性に基づいて表示する情報処理装置であって、属性毎に、属性を有する情報のうち所定の条件を満たすもののみを表示する属性間一覧表示手段と、指定された属性について、属性を有する情報のすべてを表示する属性内一覧表示手段と、を含むことにより、ユーザにとって興味ある情報の中から、特に重要な情報に対して素早くアクセスし表示することが可能な情報処理装置、その制御方法、及びプログラムを得ることができるのである。
【００７９】
以上、本発明の好適な実施の形態により本発明を説明した。ここでは特定の具体例を示して本発明を説明したが、特許請求の範囲に定義された本発明の広範囲な趣旨及び範囲から逸脱することなく、これら具体例に様々な修正及び変更が可能である。
【符号の説明】
【００８０】
１００    情報処理装置（ＰＣ）
１０１    ＴＶチューナ部
１０２    ＲＯＭ
１０３    ＲＡＭ
１０４    ＨＤＤ
１０５    ネットワーク接続部
１０６    ＣＰＵ
１０７    表示部
１０８    入力部
１０９    電源部
８０１    情報ソーステーブル部
８０２    情報取得部
８０３    取得情報記憶部
８０４    興味テーブル表示・編集部
８０５    興味テーブル
８０６    情報選別部
８０７    全情報取得部
８０８    興味推定部
８０９    全情報記憶部
８１０    クリップ情報記憶部
８１１    情報表示部
９０１    時間順一覧表示部
９０２    カテゴリ興味順一覧表示部
９０３    時間帯内一覧表示部
９０４    カテゴリ内一覧表示部
９０５    詳細表示部
９０６    一覧表示サブクラス
９０７    情報詳細表示サブクラス
９０８    一覧用ニュースコンテンツ
９０９    一覧用ＳＮＳコンテンツ情報
９１０    一覧用ＴＶ番組コンテンツ情報
９１１    詳細用ニュースコンテンツ情報
９１２    詳細用ＳＮＳコンテンツ情報
９１３    詳細用ＴＶ番組コンテンツ情報
【図１】
2014174807.tif 000003
【図２】
2014174807.tif 000004
【図３】
2014174807.tif 000005
【図４】
2014174807.tif 000006
【図５】
2014174807.tif 000007
【図６】
2014174807.tif 000008
【図７】
2014174807.tif 000009
【図８】
2014174807.tif 000010
【図９】
2014174807.tif 000011